(57)【要約】【課題】  タッチパネルの操作性を向上させる。【解決手段】  使用者がタッチパネル６０の最初のタッチ位置１０１からタッチ状態を維持したままタッチ位置１０３まで指を移動させると、タッチ位置１０１からタッチ位置１０３への移動方向の延長上にあるアイコン５２Ｂを選択状態に表示する。次いで、使用者がタッチ位置１０３からタッチ状態を維持したまま、タッチ位置１０１の近傍まで指を移動させたら、アイコン５２Ｂの選択を決定し、アイコン５２Ｂに応じた処理を実行する。【選択図】        図７
2005321964.tif 000002
【特許請求の範囲】
【請求項１】
表示装置と、
入力を促進するためのアイコンから成るメニューを前記表示装置に表示するメニュー表示手段と、
前記表示装置と組合わせて用いられるタッチパネルと、
前記タッチパネルにおけるタッチ位置を演算するタッチ位置演算手段と、
前記タッチパネルがタッチされ前記タッチ位置演算手段により演算されるタッチ位置を第１のタッチ位置とし、この第１のタッチ位置からタッチ状態が維持されたまま移動し前記タッチ位置演算手段に演算されるタッチ位置を第２のタッチ位置とし、前記第１のタッチ位置から前記第２のタッチ位置への移動方向を検出する移動方向検出手段と、
前記メニューのうち前記移動方向の延長上に位置するアイコンを選択状態とする制御手段とを備えることを特徴とするタッチパネル付き入力装置。
【請求項２】
前記制御手段は、前記第１のタッチ位置と前記第２のタッチ位置の間の直線距離が所定の閾値を超えているとき、前記移動方向の延長上のアイコンを選択されたアイコンと判断することを特徴とする請求項１に記載のタッチパネル付き入力装置。
【請求項３】
前記制御手段は、
前記第２のタッチ位置からタッチ状態が維持されたまま移動し前記タッチ位置演算手段に演算されるタッチ位置を第３のタッチ位置とし、
前記第３のタッチ位置が前記第１のタッチ位置の近傍にあるとき、前記選択されたアイコンの選択が決定されたと判断することを特徴とする請求項２に記載のタッチパネル付き入力装置。
【請求項４】
前記移動方向の延長上のアイコンが選択されたことを示す第１の報知手段を備えることを特徴とする請求項１乃至３のいずれかに記載のタッチパネル付き入力装置。
【請求項５】
前記第１の報知手段は、前記第１のタッチ位置から前記第２のタッチ位置への移動方向を示すキャラクタを前記表示装置に表示することを特徴とする請求項４に記載のタッチパネル付き入力装置。
【請求項６】
前記第１の報知手段による報知内容を変更し、前記アイコンの選択が決定されたことを示す第２の報知手段とを備えることを特徴とする請求項４に記載のタッチパネル付き入力装置。
【請求項７】
前記制御手段は、前記タッチパネルからの応答がないとき、前記移動方向検出手段の処理をキャンセルすることを特徴とする請求項２に記載のタッチパネル付き入力装置。
【請求項８】
前記制御手段は、前記第２のタッチ位置の演算後、前記タッチパネルからの応答が所定の時間ないとき、前記移動方向の延長上のアイコンの選択が決定されたと判断することを特徴とする請求項１に記載のタッチパネル付き入力装置。
【請求項９】
前記メニューは前記表示手段の表示領域の周縁部に表示されることを特徴とする請求項１に記載のタッチパネル付き入力装置。
【請求項１０】
前記メニューは、前記周縁部において使用者の手が位置する部分の近傍の縁部を除いて表示されることを特徴とする請求項９に記載のタッチパネル付き入力装置。
【請求項１１】
表示装置と、入力を促進するためのアイコンから成るメニューを前記表示装置に表示するメニュー表示手段と、前記表示装置と組合わせて用いられるタッチパネルとを備える入力装置において、
前記タッチパネルにおけるタッチ位置の移動に基づいて、前記メニューのうち使用者により選択されたアイコンを特定し、この特定されたアイコンが選択されたことを示す処理を実行することを特徴とする入力装置の制御方法。
【請求項１２】
前記タッチパネルがタッチされていない状態において前記タッチパネルからの応答があったら、そのタッチ位置を第１のタッチ位置とし、
前記第１のタッチ位置からタッチ状態が維持されたまま所定距離移動したタッチ位置を第２のタッチ位置とし、
前記第１のタッチ位置から前記第２のタッチ位置への移動方向を演算し、
前記メニューのうち前記移動方向の延長上にあるアイコンを使用者により選択されたアイコンと特定し、
前記第２のタッチ位置からタッチ状態が維持されたまま移動したタッチ位置を第３のタッチ位置とし、
前記第３のタッチ位置が前記第１のタッチ位置の近傍にあるとき、前記メニューのうち、前記移動方向の延長上にあるアイコンの選択が使用者により決定されたと判断することを特徴とする請求項１０に記載の入力装置の制御方法。
【請求項１３】
前記タッチパネルがタッチされていない状態において前記タッチパネルからの応答があったら、そのタッチ位置を第１のタッチ位置とし、
前記第１のタッチ位置からタッチ状態が維持されたまま移動したタッチ位置を第２のタッチ位置とし、
前記第１のタッチ位置から前記第２のタッチ位置への移動方向を演算し、
前記メニューのうち前記移動方向の延長上にあるアイコンを使用者により選択されたアイコンと特定し、
前記第２のタッチ位置が確認された後、前記タッチパネルからの応答が所定時間ない場合、前記メニューのうち前記移動方向の延長上にあるアイコンの選択が使用者により決定されたと判断することを特徴とする請求項１０に記載の入力装置の制御方法。
【請求項１４】
演算された前記移動方向が前記表示装置に表示されることを特徴とする請求項１２若しくは１３に記載の入力装置の制御方法。
【発明の詳細な説明】
【技術分野】
【０００１】
本発明は使用者が指等で触れて情報入力するタッチパネルを備えた入力装置に関する。
【背景技術】
【０００２】
従来、画像等を表示するディスプレイと、このディスプレイの上に積層したタッチパネルとを組合わせて構成される情報入力装置が知られている。ディスプレイには入力を促す各種アイコンが表示される。使用者がアイコンをタッチすると（実際にはアイコンに対応するタッチパネルの領域をタッチすると）、そのアイコンを選択したとみなされ、対応する入力処理が行われる。
【特許文献１】特開平１１−２４８４１号公報
【発明の開示】
【発明が解決しようとする課題】
【０００３】
このような入力装置は、使用者が指でディスプレイをタッチするだけでよいため、キーボード等に比べると簡易な入力装置である一方、以下の問題がある。ディスプレイが大型になると、アイコンを選択するための手の動きが大きくなり操作性が悪い。また、携帯電話のように片手で操作することが一般的な機器では、片手で携帯電話を保持しながらディスプレイ上のアイコンをタッチするのは困難である。
【０００４】
本発明は、以上の問題を解決するものであり、タッチパネルによる入力装置の操作性を向上することを目的とする。
【課題を解決するための手段】
【０００５】
本発明に係るタッチパネル付き入力装置は、表示装置と、入力を促進するためのアイコンから成るメニューを表示装置に表示するメニュー表示手段と、表示装置と組合わせて用いられるタッチパネルと、タッチパネルにおけるタッチ位置を演算するタッチ位置演算手段と、タッチパネルがタッチされタッチ位置演算手段により演算されるタッチ位置を第１のタッチ位置とし、この第１のタッチ位置からタッチ状態が維持されたまま移動しタッチ位置演算手段に演算されるタッチ位置を第２のタッチ位置とし、第１のタッチ位置から第２のタッチ位置への移動方向を検出する移動方向検出手段と、メニューのうち移動方向の延長上に位置するアイコンを選択状態とする制御手段とを備えることを特徴とする。
【０００６】
以上のように、本発明においては、タッチパネルをタッチする位置ではなく、タッチ位置の移動方向に基づいてアイコンの選択決定が行われる。すなわち、表示装置上のどのアイコンを選択するにしても、使用者は、当該アイコンの表示位置に合わせてタッチパネルのタッチ位置を大きく変える必要がなく、タッチパネル上の指の動きのみで操作可能である。
【０００７】
好ましくは、制御手段は、第１のタッチ位置と第２のタッチ位置の間の直線距離が所定の閾値を超えているとき移動方向の延長上のアイコンを選択されたアイコンと判断する。
【０００８】
選択的に、制御手段は、第２のタッチ位置からタッチ状態が維持されたまま移動しタッチ位置演算手段に演算されるタッチ位置を第３のタッチ位置とし、第３のタッチ位置が第１のタッチ位置の近傍にあるとき、選択されたアイコンの選択が決定されたと判断する。
【０００９】
タッチパネル付き入力装置は、好ましくは、移動方向の延長上のアイコンが選択されたことを示す第１の報知手段を備える。
【００１０】
この第１の報知手段は、例えば、第１のタッチ位置から第２のタッチ位置への移動方向を示すキャラクタを表示装置に表示する。
【００１１】
タッチパネル付き入力装置は、より好ましくは、第１の報知手段による報知内容を変更し、アイコンの選択が決定されたことを示す第２の報知手段を備える。
【００１２】
選択的に、制御手段は、タッチパネルからの応答がないとき、移動方向検出手段の処理をキャンセルしてもよい。
【００１３】
選択的に、制御手段は、第２のタッチ位置の演算後、タッチパネルからの応答が所定の時間ないとき、移動方向の延長上のアイコンの選択が決定されたと判断してもよい。
【００１４】
好ましくは、上述のメニューは表示手段の表示領域の周縁部に表示され、より好ましくは、表示領域の周縁部において使用者の手が位置する部分の近傍の縁部を除いて表示される。
【００１５】
本発明に係る入力装置の制御方法は、表示装置と、入力を促進するためのアイコンから成るメニューを表示装置に表示するメニュー表示手段と、表示装置と組合わせて用いられるタッチパネルとを備える入力装置において、タッチパネルにおけるタッチ位置の移動に基づいて、メニューのうち使用者により選択されたアイコンを特定し、この特定されたアイコンが選択されたことを示す処理を実行する。
【００１６】
選択的に、タッチパネルがタッチされていない状態においてタッチパネルからの応答があったら、そのタッチ位置を第１のタッチ位置とし、第１のタッチ位置からタッチ状態が維持されたまま所定距離移動したタッチ位置を第２のタッチ位置とし、第１のタッチ位置から第２のタッチ位置への移動方向を演算し、メニューのうち移動方向の延長上にあるアイコンを使用者により選択されたアイコンと特定し、第２のタッチ位置からタッチ状態が維持されたまま移動したタッチ位置を第３のタッチ位置とし、第３のタッチ位置が第１のタッチ位置の近傍にあるとき、メニューのうち、移動方向の延長上にあるアイコンの選択が使用者により決定されたと判断する。好ましくは、演算された移動方向が表示装置に表示される。
【００１７】
選択的に、タッチパネルがタッチされていない状態においてタッチパネルからの応答があったら、そのタッチ位置を第１のタッチ位置とし、第１のタッチ位置からタッチ状態が維持されたまま移動したタッチ位置を第２のタッチ位置とし、第１のタッチ位置から第２のタッチ位置への移動方向を演算し、メニューのうち移動方向の延長上にあるアイコンを使用者により選択されたアイコンと特定し、第２のタッチ位置が確認された後、タッチパネルからの応答が所定時間ない場合、メニューのうち移動方向の延長上にあるアイコンの選択が使用者により決定されたと判断する。好ましくは、演算された移動方向が表示装置に表示される。
【発明の効果】
【００１８】
以上のように、本発明によれば、タッチパネルのタッチ位置を移動するだけで、表示装置に表示されたアイコンの選択・決定が行える。従って、タッチパネルの操作における使用者の手や腕の運動量を抑えることができ、操作性が向上する。特に、表示装置が大型の場合、操作に必要な運動量は著しく低減される。また、携帯電話に本発明の表示装置を適用すれば、携帯電話を保持している手の指で表示装置のアイコンの操作が行えるため、より効果的である。
【発明を実施するための最良の形態】
【００１９】
図１は、本願発明に係る第１実施形態が適用されるカメラ付き携帯電話のブロック図である。図１において携帯電話の通信部は省略されている。ＣＰＵ１０は携帯電話全体をコントロールする。ＣＰＵ１０には各種操作ボタンを有する操作部２０が接続されている。使用者により操作ボタンが押されると入力信号が操作部２０からＣＰＵ１０へ入力され、対応する各種処理が実行される。
【００２０】
撮像ユニット３０は、撮像光学系、ＣＣＤ等から構成される。撮像ユニット３０において、撮像光学系により得られた被写体の光学像はＣＣＤで光電変換され、アナログ画像信号が生成される。アナログ画像信号は、画像処理ユニット４０へ入力される。画像処理ユニット４０では、アナログ画像信号がＡ／Ｄ変換され、デジタル化された画像信号に所定の画像処理が施される。画像処理が施されたデジタル画像信号は、画像データとしてメモリ４１に格納される。
【００２１】
メモリ４１には、画像処理ユニット４０で処理された画像データの他に、入力を促進するための各種アイコンの画像データが格納される。
【００２２】
ＬＣＤ５０はＬＣＤコントローラ５１を介してＣＰＵ１０に接続される。ＣＰＵ１０から制御信号が出力されると、ＬＣＤコントローラ５１の制御によりメモリ４１に格納された上述の画像データがＬＣＤ５０に表示される。
【００２３】
タッチパネル６０はＬＣＤ５０に積層され、タッチパネルコントローラ６１を介してＣＰＵ１０に接続される。携帯電話の使用者によりタッチパネル６０がタッチされると、タッチ位置に応じた応答信号がタッチパネルコントローラ６１からＣＰＵ１０へ入力される。ＣＰＵ１０では、入力された応答信号に基づいて、ＬＣＤ５０に設定された座標系におけるタッチ位置の座標値が演算され、この座標値に応じて後述する処理が実行される。
【００２４】
次に、第１実施形態における、タッチパネル６０への入力に対する処理手順を説明する。図２乃至図４は、被写体の撮影時、タッチパネル６０を操作して撮影条件の設定を行う場合を例にした処理手順を示すフローチャートである。ステップＳ１００において、画像表示のための初期処理が実行され、図５に示すように撮影対象の被写体がＬＣＤ５０に表示される。
【００２５】
次いでステップＳ１０２において、タッチパネル６０がタッチされたことを示す応答信号がタッチパネルコントローラ６１から入力されたかチェックされる。応答信号の入力が確認されたらステップＳ１０４へ進み、図６に示すように撮影条件を設定するためのメニュー５２が表示される。
【００２６】
第１実施形態において、メニュー５２はアイコン５２Ａ、５２Ｂ、５２Ｃ、５２Ｄ、５２Ｅを有しており、これらのアイコンはＬＣＤ５０の周縁部に沿ってコの字型に配置されるよう表示される。使用者が右手で携帯電話を把持することを想定し、右縁部にはアイコンは表示されない。尚、アイコンの非表示領域は右縁部には限定されず、使用者の好みに応じて、右縁部、左縁部のいずれかに設定可能である。アイコン５２Ａは記録サイズを選択するためのアイコンであり、アイコン５２Ｂは画質を選択するためのアイコンであり、アイコン５２Ｃは感度を選択するためのアイコンである。また、アイコン５２Ｄ及び５２Ｅは、表示されているメニューを他のものに変更（スクロール）するためのアイコンである。尚、図６において、符号１０１が付された破線の領域は使用者により最初にタッチされたタッチ位置の領域を示し、１０１Ｐはその中心を示す。
【００２７】
ステップＳ１０６において、現在のタッチ位置１０１の中心１０１Ｐの座標値Ａが演算される。次いで、ステップＳ１０８において、中心１０１Ｐの座標値に基づいて、中心１０１Ｐがアイコン５２Ａ〜５２Ｅのいずれかの領域に位置しているかチェックされる。中心１０１Ｐがアイコン５２Ａ〜５２Ｅのいずれかの領域に位置していることが確認されたら、ステップＳ１１０へ進み、そのアイコンに応じた処理が実行される。中心１０１Ｐがアイコン５２Ａ〜５２Ｅのいずれの領域にも位置していないことが確認されたら図３のステップＳ１１２へ進む。
【００２８】
ステップＳ１１２では、タッチパネルコントローラ６１からの応答信号が引き続き入力されているかチェックされる。応答信号の入力がない場合とは、使用者がタッチパネル６０に置いた指を離してしまった場合である。この場合、ステップＳ１００へ戻る。すなわち、ステップＳ１０４で表示されたメニュー５２は消され、ＬＣＤ５０の表示は図５に示す状態に戻る。
【００２９】
使用者が指をタッチパネル６０から離しておらず、タッチパネルコントローラ６１からの応答信号が引き続き入力されていることが確認されたらステップＳ１１４へ進む。ステップＳ１１４では、タッチパネルコントローラ６１からの応答信号に基づいて、現時点で使用者によりタッチされているタッチパネル６０のタッチ位置の中心位置の座標値が演算される。図７に示すように、使用者が最初のタッチ位置１０１からタッチパネル６０上で指をすべらせてタッチ位置１０３へ移動させさせたとき、タッチ位置１０３の中心位置１０３Ｐの座標値Ｂが演算される。
【００３０】
次いでステップＳ１１６へ進み、座標値Ａから座標値Ｂへの移動方向Ｄ１と移動量Ｘが演算される。ステップＳ１１８において、移動量Ｘが所定量を超えているかチェックされる。移動量Ｘが所定の閾値を超えていることが確認されたらステップＳ１２０へ進む。次いで、ステップＳ１２０では、移動方向Ｄ１の延長上にあるアイコンを選択状態にする処理が実行される。図７に示すように、移動方向Ｄ１の延長上にはアイコン５２Ｂが存在する。従って、アイコン５２Ｂを反転させると共に、破線の矢印２０１、及び文字「セレクト」を表示する。これにより、アイコン５２Ｂが選択されたことが使用者に報知される。
【００３１】
ステップＳ１１８において、移動量Ｘが所定の閾値を超えていないことが確認されたら、ステップＳ１１２へ戻り、上述の移動方向Ｄ１、移動量Ｘの算出が繰り返される。すなわち、タッチパネル６０上で使用者が指をすべらす長さが所定量を超えないと、アイコンは選択されない。
【００３２】
上述のステップＳ１２０が実行されると、次いで、図４のステップＳ１２２へ進む。ステップＳ１２２では図３のステップＳ１１２と同様、タッチパネルコントローラ６１からの応答信号が引き続き入力されているかチェックされる。使用者がタッチパネル６０から指を離しており、応答信号の入力がないとき、図２のステップＳ１００へ戻る。その結果、メニュー５２及び矢印２０１は消され、ＬＣＤ５０の表示は図５に示す状態に戻る。
【００３３】
使用者が指をタッチパネル６０から離しておらず、タッチパネルコントローラ６１からの応答信号が引き続き入力されていることが確認されたらステップＳ１２４へ進む。ステップＳ１２４では、タッチパネルコントローラ６１からの応答信号に基づいて、現時点で使用者によりタッチされているタッチパネル６０のタッチ位置の中心位置の座標値が演算される。図８に示すように、使用者がタッチ位置１０３からタッチパネル６０上で指をすべらせてタッチ位置１０５へ移動させさせたとき、タッチ位置１０５の中心位置１０５Ｐの座標値Ｃが演算される。
【００３４】
次いでステップＳ１２６において、座標値Ｃに基づいて、中心１０５Ｐがアイコン５２Ａ〜５２Ｅのいずれかの領域に位置しているかチェックされる。中心１０５Ｐがアイコン５２Ａ〜５２Ｅのいずれかの領域に位置していることが確認されたら、ステップＳ１２８へ進み、そのアイコンに応じた処理ルーチンが実行される。中心１０５Ｐがアイコン５２Ａ〜５２Ｅのいずれの領域にも位置していないことが確認されたらステップＳ１３０へ進む。
【００３５】
ステップＳ１３０では、座標値Ａと座標値Ｃが比較され、中心１０５Ｐが中心１０１Ｐの近傍に位置しているかチェックされる。中心１０５Ｐが中心１０１Ｐ（図６、７参照）の近傍に位置していることが確認されたらステップＳ１３２へ進む。ステップＳ１３２では、図３のステップＳ１２０で選択状態にされたアイコン５２Ｂが決定状態にされる。すなわち、図８に示すようにアイコン５２Ｂ以外の他のアイコンは消され、矢印２０１の上に文字「決定」が表示される。
【００３６】
次いで、ステップＳ１３４へ進み、アイコン５２Ｂが選択・決定されたことに応じて、「画質」を決定するためのメニュー表示を行うルーチンが実行される。その結果、ＬＣＤ５０の画面表示は図９に示すような状態となる。図９において、アイコン５２Ｆ、５２Ｇ、５２Ｈは画質のレベルを選択するためのアイコンであり、星印の数が多いほど高精細であることを示す。
【００３７】
尚、ステップＳ１３０において、中心１０５Ｐが中心１０１Ｐの近傍に位置していないことが確認されたらステップＳ１２２へ戻り、上述の処理が繰り返される。すなわち、アイコンが選択された後に使用者が指をすべらす位置が極端に中心１０１Ｐと離れているとき、アイコンは決定状態にならない。
【００３８】
以上のように、第１実施形態では、タッチパネル６０にタッチしたまま所定の直線に沿って所定距離以上タッチ位置を往復させることにより、アイコンを選択決定することができる。従って、携帯電話を保持してる手の指でタッチパネル６０を操作することができ、操作性が向上する。
【００３９】
また、一度動かしたタッチ位置を最初のタッチ位置近傍まで戻すと当該アイコンの選択が決定される。すなわち、アイコンに応じた処理ルーチンが実行される前にアイコン選択をやり直す機会が与えられている。従って、操作に不慣れな使用者にとってもアイコンの選択決定が容易である。
【００４０】
さらに、第１実施形態によれば、ＬＣＤ５０の周縁部に配置することが可能となる。換言すれば、アイコンをＬＣＤ５０の中心部分に表示する必要がない。従って、図５乃至図９に示すように、撮影対象の画像表示がアイコンにより妨げられることがなく、使用者は常時、被写体の状態を確認することができる。
【００４１】
次に、図１０及び図１１を参照しながら、本発明に係る第２実施形態が適用される携帯電話におけるタッチパネルへの入力に対する処理手順を説明する。第２実施形態の携帯電話は、図１を用いて説明したシステム構成と同一のシステム構成を有する。図１０、図１１は、図２乃至図４と同様、被写体の撮影時、タッチパネル６０を操作して撮影条件の設定を行う場合の処理手順を示すフローチャートである。
【００４２】
図１０のステップＳ２００〜Ｓ２１０では、図２のステップＳ１００〜Ｓ１１０と同様の処理が実行される。すなわち、図５の初期画面の表示（Ｓ２００）、タッチパネル６０への最初のタッチの確認（Ｓ２０２）、図６に示すメニューの表示（Ｓ２０４）、最初のタッチ位置の座標Ａの演算（Ｓ２０６）、アイコンがタッチされた場合の処理（Ｓ２０８、Ｓ２１０）が実行される。
【００４３】
次いで、図１１のステップＳ２１２へ進み、タッチパネルコントローラ６１からの応答信号に基づいて現時点でのタッチ位置の座標値Ｂを演算する。次いでステップＳ２１４へ進み、座標値Ａ（図１０のステップＳ２０６で取得）と座標値Ｂを結ぶ直線の延長上に矢印を表示する（図７の符号２０１参照）。さらにステップＳ２１６へ進み、タッチパネルコントローラ６１から応答信号が入力されているかチェックされ、入力がある場合はステップＳ２１２へ戻る。すなわち、使用者がタッチパネル６０にタッチしたまま指をすべらせている間は、常時、カレントのタッチ位置の座標値Ｂが演算される。
【００４４】
ステップＳ２１６において、タッチパネルコントローラ６１からの応答信号の入力がなくなったことが確認されたらステップＳ２１８へ進む。ステップＳ２１８では、座標値Ｂがメニュー５２の上述のアイコンのいずれかの領域内に存在しているかチェックされ、使用者がタッチパネル６０から指を離したのがアイコン上なのかチェックされる。使用者がアイコン上で指を離したことが確認されたら、ステップＳ２２０へ進み、当該アイコンに応じた処理ルーチンが実行される。
【００４５】
一方、使用者がタッチパネル６０においてアイコン以外の位置で指を離したことが確認されたら、ステップＳ２２２へ進む。ステップＳ２２２では、座標値Ａから座標値Ｂへの移動方向Ｄ２が演算され、移動方向Ｄ２の延長上にあるアイコンを選択決定状態にする処理が実行される。その結果、選択決定状態にされたアイコン以外の他のアイコンはＬＣＤ５０から消される。
【００４６】
次いでステップＳ２２４へ進み、タッチパネル６０に対する入力を一定時間無効とするためのタイマを起動する。これにより、１つのアイコンが選択決定された後の一定時間の間は、使用者がタッチパネル６０をタッチしても、その入力は無効となる。従って、使用者がアイコンを選択決定したにもかかわらず、不用意にタッチパネル６０にタッチしてしまい、下層のメニューが使用者の意に反して決定されてしまう等の誤操作が防止される。このタイマ起動処理の後、ステップＳ２２６において、選択決定されたアイコンに応じた処理ルーチンが実行される。
【００４７】
以上のように、第２実施形態によれば、使用者がタッチパネル６０上で指を一方向に移動させればアイコンが選択決定されるので操作が簡易である。
【００４８】
尚、第１及び第２実施形態を１つの携帯電話に適用し、使用者がどちらの態様で操作するか選択できる構成としてもよい。また、第１及び第２実施形態は携帯電話を例にとって説明したがこれに限るものではなく、他の機器に適用することも可能である。
【図面の簡単な説明】
【００４９】
【図１】本発明に係る第１実施形態が適用されるカメラ付き携帯電話のブロック図である。
【図２】撮影条件の設定において、タッチパネルが最初にタッチされるまでの処理手順を示すフローチャートである。
【図３】撮影条件の設定において、アイコンを選択するまでの処理手順を示すフローチャートである。
【図４】撮影条件の設定において、選択されたアイコンを決定するまでの処理手順を示すフローチャートである。
【図５】ＬＣＤに表示される初期画面である。
【図６】初期画面表示後、使用者がタッチパネルに最初にタッチしたときのＬＣＤの表示状態を示す図である。
【図７】使用者がタッチ位置を移動し、アイコンを選択したときのＬＣＤの表示画面を示す図である。
【図８】使用者がタッチ位置を戻し、アイコンの選択が決定されたときのＬＣＤの表示画面を示す図である。
【図９】選択が決定されたアイコンに応じた処理が実行されたＬＣＤの表示画面を示す図である。
【図１０】本発明に係る第２実施形態が適用されるカメラ付き携帯電話において、撮影条件の設定の処理手順の前半を示すフローチャートである。
【図１１】第２実施形態の撮影条件の設定の処理手順の後半を示すフローチャートである。
【符号の説明】
【００５０】
１０  ＣＰＵ
２０  操作部
３０  撮像ユニット
４０  画像処理ユニット
４１  メモリ
５０  ＬＣＤ
５１  ＬＣＤコントローラ
６０  タッチパネル
６１  タッチパネルコントローラ
【図１】
2005321964.tif 000003
【図２】
2005321964.tif 000004
【図３】
2005321964.tif 000005
【図４】
2005321964.tif 000006
【図５】
2005321964.tif 000007
【図６】
2005321964.tif 000008
【図７】
2005321964.tif 000009
【図８】
2005321964.tif 000010
【図９】
2005321964.tif 000011
【図１０】
2005321964.tif 000012
【図１１】
2005321964.tif 000013